(57)【要約】【課題】  Ｆｎｏが４．５程度、画角（２Ｗ）が１０２ｄｅｇ程度、バックフォーカスを焦点距離の２倍以上確保できる製造が容易なレトロフォーカス型超広角レンズを提案すること。【解決手段】レトロフォーカス型超広角レンズ１は、負の屈折力の第１レンズ群ＧＲ１と正の屈折力の第２レンズ群ＧＲ２を有し、第１レンズ群ＧＲ１は、４枚の負メニスカスレンズ２〜５と、正レンズ７および負メニスカスレンズ８が接合された接合レンズ６とを有し、第２レンズ群ＧＲ２は、絞り１２の物体側に正・負のレンズ１０、１１が接合された接合レンズ９を有し、像面側に、正レンズ１３と、負・正のレンズ１５、１６が接合された接合レンズ１４と、正レンズ１７と、接合レンズ１８とを有している。第１レンズ群ＧＲ１の負メニスカスレンズ３の凸レンズ面３ａに非球面が施されている。【選択図】  図１
2006300972.tif 000002
【特許請求の範囲】
【請求項１】
物体側に配列された負の屈折力を有する第１レンズ群と、像面側に配列された正の屈折力を有する第２レンズ群とを有し、フォーカシングは、前記第１レンズ群が固定され、前記第２レンズ群が物体側に移動することにより行われるようになっており、
前記第１レンズ群は、物体側に配列された４枚の負メニスカスレンズと、像面側に配列された正の屈折力を有する少なくとも１枚の接合レンズを有し、当該接合レンズは、像面側に凸面の正レンズと物体側に凹面の負メニスカスレンズが接合された負屈折力の接合面を備えており、
前記第１レンズ群の前記４枚の負メニスカスレンズのうち、いずれか１枚の負メニスカスレンズの凸面は非球面であり、
前記第２レンズ群は、絞りを挟み、物体側に配列された、正レンズおよび負レンズを接合した構成の１枚の接合レンズと、像面側に配列された、１枚の正レンズと、負レンズおよび正レンズを接合した構成の１枚の接合レンズと、１枚の正レンズと、１枚の接合レンズとを有しており、
次の条件式（１）および（２）を満足していることを特徴とするレトロフォーカス型超広角レンズ。
２．３＜｜Ｆｇｒ１／Ｆ｜＜５．３            （１）
１．５＜Ｆｇｒ２／Ｆ＜２．４                （２）
但し、
Ｆ：全系焦点距離
Ｆｇｒ１：第１レンズ群の焦点距離
Ｆｇｒ２：第２レンズ群の焦点距離
【請求項２】
請求項１において、
前記第１レンズ群における前記負メニスカスレンズの凸面の非球面は次の非球面関数により規定され、非球面係数Ａ０が条件式（３）を満足していることを特徴とするレトロフォーカス型超広角レンズ。
【数１】
2006300972.tif 000005
但し、
Ｒ：基準球面の曲率半径
Ｙ：光軸からの高さ
Ｘ：サグ量
Ａ０＞１                                （３）
【請求項３】
請求項１または２において、
Ｖｐ：：前記絞りより像面側に位置する正レンズの少なくとも一つに用いるガラス材のｄ線アッベ数Ｖｐが、条件式（４）を満足していることを特徴とするレトロフォーカス型超広角レンズ。
Ｖｐ＞６２                              （４）
【請求項４】
請求項１ないし３のいずれかにおいて、
前記第１レンズ群における前記４枚の負メニスカスレンズのうちの少なくとも一つに用いるガラス材のｄ線アッベ数Ｖｎが、条件式（５）を満足していることを特徴とするレトロフォーカス型超広角レンズ。
Ｖｎ＞６２                              （５）
【請求項５】
請求項１ないし４のいずれかにおいて、
前記４枚の負メニスカスレンズのうち、物体側から２番目の負メニスカスレンズの凸面が非球面となっていることを特徴とするレトロフォーカス型超広角レンズ。
【請求項６】
請求項１ないし５のいずれかにおいて、
前記４枚の負メニスカスレンズのうちの一枚の負メニスカスレンズは、物体側に凹面を向けた状態で配置されていることを特徴とするレトロフォーカス型超広角レンズ。
【発明の詳細な説明】
【技術分野】
【０００１】
本発明は、中判一眼レフカメラ用交換レンズとして用いるのに適した、バックフォーカスが長く、諸収差が良好に補正されたレトロフォーカス型超広角レンズに関するものである。
【背景技術】
【０００２】
近年のＣＣＤなどの撮像素子を用いるデジタルスチルカメラの流行に伴って、中判一眼レフカメラにおいても、同様にデジタル化が進んできている。従来より中判一眼レフカメラはフィルムバック交換型のものが殆どであるので、銀塩フィルムバックとＣＣＤを搭載したデジタルバックを併用可能なものが開発されて市販されるようになってきている。
【０００３】
しかしながら、デジタルバックに搭載されているＣＣＤの撮像面の大きさは、銀塩フィルムのフォーマットサイズより小さい場合が一般的である。このため、ＣＣＤは銀塩フィルムより撮影画角が狭くなり、銀塩カメラ用レンズをデジタルバック用レンズに兼用するためには、ＣＣＤサイズを考慮した超広角のレンズとする必要がある。
【０００４】
ここで、一眼レフカメラ用広角レンズでは、バックフォーカスを十分に確保する必要があるため、物体側から負・正の屈折力配置の所謂レトロフォーカス型が採用されている。したがって、デジタルバック併用型の一眼レフカメラでは、長いバックフォーカスを確保でき、しかも広画角のレンズを用いる必要がある。しかしながら、このような特性を備えたレトロフォーカス型広角レンズは、より強い非対称性を持つことになり、負の歪曲収差、倍率色収差など諸収差の補正が困難となる。
【０００５】
また、レトロフォーカス型広角レンズでは、近距離へのフォーカシング時にレンズ全体を繰り出すと共に、絞り間隔を変化させる、所謂フローティングを行って像面の正方向への変化を補正している。しかしながら、これを行うと、歪曲収差の負変位や上方コマ収差などが過大になってしまう。
【０００６】
このような問題を解消するために、特許文献１には、画角（２Ｗ）が１００ｄｅｇ以上のレトロフォーカス型超広角レンズが提案されている。ここに開示のレトロフォーカス型超広角レンズでは、第１レンズ群における物体側の負のメニスカスレンズの凹面を非球面形状とした構成が採用されている。
【特許文献１】特開２００４−１０２１００号公報
【発明の開示】
【発明が解決しようとする課題】
【０００７】
上記特許文献に開示のレトロフォーカス型超広角レンズは、歪曲収差などが良好に補正されるので、デジタルバック併用型の一眼レフカメラ用交換レンズとして用いるのに適している。しかしながら、凹面に非球面形状が採用され、基準球面の曲率半径に対するサグ量が大きく、接線角も大きいレンズを用いる必要がある。このような形状のレンズは一般に製造が困難であるという問題点がある。
【０００８】
本発明の課題は、このような点に鑑みて、デジタルバック併用型の一眼レフカメラ用交換レンズとして用いるのに適した、Ｆナンバーが４．５程度、画角（２Ｗ）が１０２ｄｅｇ程度、バックフォーカスが焦点距離の２倍以上確保され、諸収差が良好に補正され、しかも製造が容易なレトロフォーカス型超広角レンズを提案することにある。
【課題を解決するための手段】
【０００９】
上記の課題を解決するために、本発明のレトロフォーカス型超広角レンズは、
物体側に配列された負の屈折力を有する第１レンズ群と、像面側に配列された正の屈折力を有する第２レンズ群とを有し、フォーカシングは、前記第１レンズ群が固定され、前記第２レンズ群が物体側に移動することにより行われるようになっており、
前記第１レンズ群は、物体側に配列された４枚の負メニスカスレンズと、像面側に配列された正の屈折力を有する少なくとも１枚の接合レンズを有し、当該接合レンズは、像面側に凸面の正レンズと物体側に凹面の負メニスカスレンズが接合された負屈折力の接合面を備えており、
前記第１レンズ群の前記４枚の負メニスカスレンズのうち、いずれか１枚の負メニスカスレンズの凸面は非球面であり、
前記第２レンズ群は、絞りを挟み、物体側に配列された、正レンズおよび負レンズを接合した構成の１枚の接合レンズと、像面側に配列された、１枚の正レンズと、負レンズおよび正レンズを接合した構成の１枚の接合レンズと、１枚の正レンズと、１枚の接合レンズとを有しており、
条件式（１）および（２）を満足していることを特徴としている。
２．３＜｜Ｆｇｒ１／Ｆ｜＜５．３                      （１）
１．５＜Ｆｇｒ２／Ｆ＜２．４                          （２）
但し、
Ｆ：全系焦点距離
Ｆｇｒ１：第１レンズ群の焦点距離
Ｆｇｒ２：第２レンズ群の焦点距離
【００１０】
本発明のレトロフォーカス型超広角レンズでは、負の屈折力を有する第１レンズ群は、物体側に４枚の負メニスカスレンズを含んでいる。これらの負メニスカスレンズのうち物体側に位置している負メニスカスレンズは、入射光線に対して最小偏角となるように、物体側に凸面を向けた形状をしているので、屈折面で発生する収差を抑えることができる。また、超広角で長いバックフォーカスを得るために強い発散性を有する必要性のために歪曲収差などの画角が大きく影響する収差の発生が大きくなるが、本発明では４枚の負メニスカスレンズによって屈折力が分担されるので、収差が抑制される。
【００１１】
さらに、４枚の負メニスカスレンズの凸面を非球面としてあるので、非球面形状として、光軸から周辺に向かい曲率半径が小さくなるような形状を採用することにより、負の歪曲収差を補正することができる。また、凸面に施した非球面の基準球面の曲率半径は、凹面に施した非球面の基準球面の曲率半径よりも大きいので、曲率半径に対するサグ量の増大や接線角の増大を低減することができ、製造が容易である。
【００１２】
４枚の負メニスカスレンズのうち非球面を施すレンズ面として、各画角の光束が細く、その光軸からの高さが十分に分離して交わらない所、すなわち、第１レンズ群における物体側に位置するレンズ面を選ぶと、収差の画角変動の補正に有効である。実用上においては、非球面加工の難易度などを考慮して、物体側から２枚目の負メニスカスレンズの凸面を非球面とすればよい。
【００１３】
次に、第２レンズ群においては、絞りよりも物体側の位置において、屈折力が負で、しかも向きが物体側に凹面となっている接合面を備えた接合レンズが配置されているので、画角が影響する倍率色収差の補正が良好に行われる。同様の効果は、前記４枚の負メニスカスレンズのうちの一枚の負メニスカスレンズを、物体側に凹面を向けた状態で配置することによっても得ることができる。
【００１４】
フォーカシングは、第１レンズ群を固定し、第２レンズ群を物体側へ移動することにより行われ、その際には、収差変動が発生する。しかし、本発明では、上記のように第１レンズ群で収差を補正しており、また、第２レンズ群が、絞りを挟み、物体側に配列された、正レンズおよび負レンズを接合した構成の１枚の接合レンズと、像面側に配列された、１枚の正レンズと、負レンズおよび正レンズを接合した構成の１枚の接合レンズと、１枚の正レンズと、１枚の接合レンズとを有した構成とされている。よって、諸収差を良好に補正できる。
【００１５】
ここで、上記の条件式（１）は第１レンズ群の屈折力を規定するものである。この条件式の下限値を下回ると、発散作用が強まるので長いバックフォーカスの確保はできるが、第２レンズ群のフォーカス位置に対する敏感度が高くなり、手動でのフォーカシング操作が難しくなる。また、各レンズ面の屈折作用が強くなるため、負の歪曲収差の発生が過大となり、非球面および、後続のレンズ群での収差補正ができなくなる。さらに、負レンズの凹面の曲率半径が小さくなるにしたがって、その反対側の凸面側に施す非球面形状のサグ量および接線角が増大するので、レンズの製造が困難となる。一方、上限値を超えると、発散作用が弱くなるので、収差補正には有利であるが、長いバックフォーカスの確保が困難になり、また、前玉径が増大するという問題が生じる。
【００１６】
上記の条件式（２）は第２レンズ群の屈折力を規定するものである。この条件式の下限値を下回ると、バックフォーカスの確保が困難となるばかりでなく、収差補正が困難となるので、レンズ枚数の増加につながり、ゴーストなどが発生しやすくなる。一方、上限値を超えると、バックフォーカスの確保は容易になるが、レンズ全長が長くなり、レンズ径が増大するという問題が発生する。
【００１７】
次に、前記第１レンズ群における前記負メニスカスレンズの凸面の非球面は次の非球面関数により規定することができる。
【００１８】
【数１】
2006300972.tif 000003
【００１９】
但し、
Ｒ：基準球面の曲率半径
Ｙ：光軸からの高さ
Ｘ：サグ量
【００２０】
この場合、非球面係数Ａ０が条件式（３）を満足していることが望ましい。
Ａ０＞１                            （３）
【００２１】
物体側の負メニスカスレンズで発生する歪曲収差を凸面に施した非球面で補正するためには、光軸から周辺に向かい曲率半径が小さくなるような非球面形状を採用する必要がある。条件式（３）を満足する非球面は、光軸を短軸とする楕円面を基準とする非球面形状であり、かかる形状を採用すると、歪曲収差の補正を良好に行うことができる。
【００２２】
次に、本発明のレトロフォーカス型超広角レンズは、前記絞りより像面側に位置する正レンズのいずれか一つに用いるガラス材のｄ線アッベ数Ｖｐが、次の条件式（４）を満足していることが望ましい。
Ｖｐ＞６２                            （４）
【００２３】
また、本発明のレトロフォーカス型超広角レンズは、前記第１レンズ群における前記４枚の負メニスカスレンズのうちの少なくとも一つに用いるガラス材のｄ線アッベ数Ｖｎが、次の条件式（５）を満足していることが望ましい。
Ｖｎ＞６２                            （５）
【００２４】
これらの条件式（４）および（５）は、絞りを挟み、像面側の正レンズと、物体側の負レンズに使用するガラス材の特性を規定するものであり、これらの条件式で規定されているような部分分散の高いガラス材からなるレンズを用いると、短波長光線（青色）の下方への偏角が増加し、倍率色収差を効率良く補正することができる。
【発明の効果】
【００２５】
本発明によれば、Ｆナンバーが４．５程度、画角（２Ｗ）が１０２ｄｅｇ程度、バックフォーカスが焦点距離の２倍以上確保され、且つ、諸収差が良好に補正されたレトロフォーカス型超広角レンズを実現できる。また、第１レンズ群の負メニスカスレンズにおける凸面に非球面を施したので、凹面に非球面を施した場合に比べて、基準球面の曲率半径が大きくなるため、基準球面の曲率半径に対するサグ量が小さく、また接線角も小さい。よって、レンズの製造も容易である。
【００２６】
したがって、本発明によれば、デジタルバック併用型の一眼レフカメラ用交換レンズとして用いるのに適した、画角が広く、バックフォーカスを長く、しかも製造が容易なレトロフォーカス型超広角レンズを実現できる。
【発明を実施するための最良の形態】
【００２７】
以下に、図面を参照して、本発明を適用したレトロフォーカス型超広角レンズの実施例を説明する
【実施例１】
【００２８】
図１は、実施例１に係るレトロフォーカス型超広角レンズを示す構成図である。本例のレトロフォーカス型超広角レンズ１は、物体側より像面側に向けて、負の屈折力を有する第１レンズ群ＧＲ１と、正の屈折力を有する第２レンズ群ＧＲ２とがこの順番に配置されている。フォーカシングに際しては、第１レンズ群ＧＲ１が固定され、第２レンズ群ＧＲ２が物体側へ移動するようになっている。
【００２９】
第１レンズ群ＧＲ１は、物体側に配列された、４枚の負メニスカスレンズ２、３、４、５と、像面側に配列された正の屈折力を有する接合レンズ６とによって構成されている。４枚の負メニスカスレンズ２〜５のうち、負メニスカスレンズ２〜４は物体側に凸を向けた状態に配置され、残りの１枚の負メニスカスレンズ５は像面側に凸面を向けた状態に配置されている。接合レンズ６は、像面側に凸面を向けた正レンズ７と物体側に凹面を向けた負メニスカスレンズ８が接合された構造となっており、その接合面は負の屈折力を有している。
【００３０】
第１レンズ群ＧＲ１における物体側から２枚目の負メニスカスレンズ３は、その物体側に面している凸レンズ面３ａが非球面となっている。
【００３１】
第２レンズ群ＧＲ２は、絞り１２を挟み、物体側に配列された、正レンズ１０および負レンズ１１が接合された構成の接合レンズ９を備えている。また、絞り１２の像面側に配列された、正レンズ１３と、負レンズ１５および正レンズ１６が接合された構成の接合レンズ１４と、正レンズ１７と、接合レンズ１８を備えている。
【００３２】
表１Aにはレトロフォーカス型超広角レンズ１のパラメータを示してある。この表における各符号の意味は次の通りである。
Ｆ：焦点距離
ＦＢ：バックフォーカス
Ｆｎｏ：エフ・ナンバー
２Ｗ：全画角
Ｉ：物体側より数えたレンズ面の順番
Ｒ（Ｉ）：第Ｉ面の曲率半径
Ｄ（Ｉ）：第Ｉ面と第（Ｉ＋１）面の間隔
Ｎ（Ｉ）：第Ｉ面後の屈折率（ｄ線）
Ｖ（Ｉ）：第Ｉ面後のアッベ数
【００３３】
（表１Ａ）
Ｆ＝28.5    ＦＢ＝63.3    Ｆｎｏ＝4.6    ２Ｗ＝102.4
［Ｉ］          Ｒ(Ｉ)              Ｄ(Ｉ)            Ｎ(Ｉ)          Ｖ(Ｉ)  
［  １］        ６５．７７８４      ４．５０００    １．８３４８１    ４２．７
［  ２］        ４２．０１６４      ６．３３４４
［  ３］      １２５．００００      ７．５０００    １．４８７４９    ７０．１
［  ４］        ２７．８１０９      ７．７４０１
［  ５］        ３６．２０９７      ２．５０００    １．８３４８１    ４２．７
［  ６］        ２０．３９１７    １１．６５３４
［  ７］      −３０．２７１７      ２．００００    １．８０５１８    ２５．４
［  ８］      −４５．９４９４      ３．２２９０
［  ９］        ５７．４３３３    １２．１２３４    １．７６１８２    ２６．５
［１０］      −２０．１３１５      １．５０７９    １．８０５１８    ２５．４
［１１］      −６７．１９６０      ７．２８５８
［１２］        ３１．３６０５      ７．４００９    １．５６７３２    ４２．７
［１３］      ２６１．７２０３      １．５０００    １．７８８００    ４７．４
［１４］        ２４．１１３６      ３．４２６３
［１５］            ∞              １．５５５２
［１６］        ２４．４２００      ４．８２９５    １．４５６００    ８７．０
［１７］      −２１．０７８６      ２．４６９２
［１８］      −１５．５７９３      ９．５０００    １．８３４８１    ４２．７
［１９］        ７４．９７９６      ８．１５８３    １．５７０９９    ５０．７
［２０］      −１９．０１５１        ．２０００
［２１］  −１９８０．８６６２      ４．０５９６    １．４５６００    ８７．０
［２２］      −４４．６６５３        ．２０００
［２３］      １３２．２２９０      ９．１７２２    １．４８７４９    ７０．１
［２４］      −２２．３９８４      ２．００００    １．８３４８１    ４２．７
［２５］    −１０６．２１００
【００３４】
また、負メニスカスレンズ３の凸レンズ面３ａの非球面を規定する関数は、光軸１ａからの高さをＹ、光軸方向のサグ量をＸ、基準球面の曲率半径をＲとすると、次式により表すことができる。
【００３５】
【数１】
2006300972.tif 000004
【００３６】
但し、Ａ０〜Ａ１０は非球面係数であり、表１Ｂに値を表示してある。
【００３７】
（表１Ｂ）
［第３面非球面］
Ａ０＝  .15565700E＋02
Ａ２＝  .00000000E＋00
Ａ４＝  .66436411E−05
Ａ６＝−.46755953E−08
Ａ８＝  .43412251E−11
Ａ10＝−.14078795E−14
【００３８】
本例のレトロフォーカス型超広角レンズ１は、次の条件式（１）〜（５）をいずれも満足している。
（１）  ２．３＜｜Ｆｇｒ１／Ｆ｜＜５．３
（２）  １．５＜Ｆｇｒ２／Ｆ＜２．４
（３）  Ａ０＞１
（４）  Ｖｐ＞６２
（５）  Ｖｎ＞６２
但し、
Ｆ：全系焦点距離
Ｆｇｒ１：第１レンズ群の焦点距離
Ｆｇｒ２：第２レンズ群の焦点距離
Ｖｐ：絞りより像面側に位置する正レンズのいずれかに用いるガラス材のｄ線アッベ数
Ｖｎ：第１レンズ群における４枚の負メニスカスレンズのうちの１枚に用いるガラス材のｄ線アッベ数  
【００３９】
すなわち、本例では、｜Ｆｇｒ１／Ｆ｜＝４．４５であり、Ｆｇｒ２／Ｆ＝２．０２であり、Ａ０＝１５．６である。また、Ｖｐ＝８７．０であり、第１レンズ群における物体側から２番目の負メニスカスレンズのアッベ数はＶｎ＝７０．１である。
【００４０】
図２および図３はそれぞれ、レトロフォーカス型超広角レンズ１の撮影距離∞の収差図、および撮影距離０．３５ｍの収差図である。図中のＳＡは球面収差、ＤＩＳＴは歪曲収差（％）、ＡＳは非点収差を表す。また、ＳＡの中のｄはｄ線、ｇはｇ線を表し、ＡＳの中のＳはサジタル、Ｍはメリジオナルを表している。さらに、ΔＹは像高比を表し、小括弧内の数字はそれぞれ、０割、５割、７割、１０割の横収差を表している。
【実施例２】
【００４１】
図３は実施例２に係るレトロフォーカス型超広角レンズを示す構成図である。本例のレトロフォーカス型超広角レンズ１Ａの基本構成は実施例１と同一であるので、対応する部分には同一の符号を付してそれらの説明を省略する。
【００４２】
本例のレトロフォーカス型超広角レンズ１Ａにおいても、第１レンズ群ＧＲ１において、物体側から数えて２番目の負メニスカスレンズ３の凸レンズ面３ａが非球面となっている。
【００４３】
表２Ａにはレトロフォーカス型超広角レンズ１Ａのパラメータを示してある。各符号の意味は表１Ａの場合と同一である。また、非球面３ａも実施例１において説明した関数により規定することができ、表２Ｂには各非球面係数を示してある。
【００４４】
（表２Ａ）
Ｆ＝28.4    ＦＢ＝63.4    Ｆｎｏ＝4.6    ２Ｗ＝102.6
［Ｉ］          Ｒ(Ｉ)              Ｄ(Ｉ)            Ｎ(Ｉ)          Ｖ(Ｉ)  
［  １］        ６５．５０８４      ４．５０００    １．８３４８１    ４２．７
［  ２］        ４２．４９３５      ６．１５６０
［  ３］      １２５．００００      ６．９５０８    １．４３８７５    ９０．９
［  ４］        ２７．９８１０      ７．０３０４
［  ５］        ３８．２８５８      ２．５０００    １．８３４８１    ４２．７
［  ６］        ２１．０２２０    １１．７４６８
［  ７］      −３３．９２９６      ２．８２０２    １．８０５１８    ２５．４
［  ８］      −５３．９３４６      １．０４３７
［  ９］        ９２．３７７７    １２．００００    １．７６１８２    ２６．５
［１０］      −２１．０９０１      ４．４１６３    １．８０５１８    ２５．４
［１１］      −５９．９６２３      ６．３３２８
［１２］        ２０．１０１１      ５．００００    １．５６７３２    ４２．７
［１３］        ５８．８４２９      １．５０００    １．７８８００    ４７．４
［１４］        １４．８２８５      ４．５２３３
［１５］            ∞              ２．５０８０
［１６］        ２４．５１５９    １２．８８３０    １．４８７４９    ７０．１
［１７］      −３０．０１７０      ３．４２３８
［１８］      −２１．５６５８      ２．００００    １．８３４８１    ４２．７
［１９］        ５１．５５９０      ７．３２０２    １．５７０９９    ５０．７
［２０］      −１８．４８８４        ．２０００
［２１］    −１４１．５８２９      ４．３３３０    １．４３８７５    ９０．９
［２２］      −２８．９４２２        ．２０００
［２３］      ８９０．６４６９      ８．８７０８    １．４８７４９    ７０．１
［２４］      −１９．２１７１      ２．００００    １．８３４８１    ４２．７
［２５］      −７１．５６７７
【００４５】
（表２Ｂ）
［第３面非球面］
Ａ０＝  .15445800E＋02
Ａ２＝  .00000000E＋00
Ａ４＝  .65164935E−05
Ａ６＝−.39338605E−08
Ａ８＝  .30526948E−11
Ａ10＝−.61829638E−15
【００４６】
本例では、｜Ｆｇｒ１／Ｆ｜＝２．８５であり、Ｆｇｒ２／Ｆ＝１．９３であり、Ａ０＝１５．４である。また、Ｖｐが７０．１および９０．９であり、Ｖｎ＝９０．９である。いずれも上記の条件式（１）〜（５）を満足している。
【００４７】
図５および図６には、実施例２のレトロフォーカス型超広角レンズ１Ａの撮影距離が無限大の収差図、および撮影距離０．３５ｍの収差図をそれぞれ示してある。これらの図における各符号の意味は図２、３の場合と同一である。
【実施例３】
【００４８】
図７は、本発明の実施例３に係るレトロフォーカス型超広角レンズを示す構成図である。本例のレトロフォーカス型超広角レンズ１Ｂの基本構成も実施例１の場合と同様であるので、対応する部位には同一の符号を付し、それらの説明は省略する。本例において、第１レンズ群ＧＲ１における物体側から数えて２番目の負メニスカスレンズ３の凸レンズ面３ａに非球面が施されている。
【００４９】
表３Ａにはレトロフォーカス型超広角レンズ１Ｂのパラメータを示してある。各符号の意味は表１Ａの場合と同一である。また、非球面３ａも実施例１において説明した関数により規定することができ、表３Ｂには各非球面係数を示してある。
【００５０】
（表３Ａ）
Ｆ＝28.5    ＦＢ＝63.9    Ｆｎｏ＝4.6    ２Ｗ＝102.4
［Ｉ］          Ｒ(Ｉ)              Ｄ(Ｉ)            Ｎ(Ｉ)          Ｖ(Ｉ)  
［  １］        ７０．１１３２      ４．５０００    １．８３４８１    ４２．７
［  ２］        ４２．０６７４      ６．２０２８
［  ３］      １２５．００００      ７．５０００    １．４３８７５    ９０．９
［  ４］        ２４．４６０４      ５．９４６６
［  ５］        ３１．９８０７      ２．５０００    １．８３４８１    ４２．７
［  ６］        ２０．７１６９    １１．９２３３
［  ７］      −３３．２２４８      ３．５８３７    １．８０８０９    ２２．６
［  ８］      −５２．０２６３        ．２０００
［  ９］        ６１．２１７４      ９．５０００    １．７６１８２    ２６．５
［１０］      −２２．６５１８      ３．００００    １．８０５１８    ２５．４
［１１］      −６８．９７７８      ６．１３４０
［１２］        ２１．３７４２      ３．１４１１    １．５６７３２    ４２．７
［１３］      １３８．０３３３      １．５０００    １．７８８００    ４７．４
［１４］        １６．３２３８      ８．５４４１
［１５］            ∞              ２．２２３１
［１６］        ２６．４４５７      ８．６５５９    １．４８７４９    ７０．１
［１７］      −３２．６６１５      ４．８１２４
［１８］      −２３．４９４２      ３．６１４９    １．８３４８１    ４２．７
［１９］        ３９．９５８１      ７．７６９１    １．５７０９９    ５０．７
［２０］      −２０．７６７１        ．２０００
［２１］    −３４９．８６０８      ５．００３２    １．４３８７５    ９０．９
［２２］      −３１．５１０１        ．２０００
［２３］            ∞              ９．０２６４    １．４８７４９    ７０．１
［２４］      −２０．５８９８      ２．００００    １．８３４８１    ４２．７
［２５］      −６７．０２２６
【００５１】
（表３Ｂ）
［第３面非球面］
Ａ０＝  .16235900E＋02
Ａ２＝  .00000000E＋00
Ａ４＝  .73817775E−05
Ａ６＝−.41918163E−08
Ａ８＝  .30834735E−11
Ａ10＝−.24494941E−15
【００５２】
本例では、｜Ｆｇｒ１／Ｆ｜＝４．０５であり、Ｆｇｒ２／Ｆ＝１．８９であり、Ａ０＝１６．２である。また、Ｖｐは７０．１および９０．９であり、Ｖｎは９０．９である。よって、上記の条件式（１）〜（５）を満足している。
【００５３】
なお、図８および図９には、実施の形態３のレトロフォーカス型超広角レンズ１Ｂの撮影距離が無限大の収差図、および撮影距離０．３５ｍの収差図をそれぞれ示してある。これらの図における各符号の意味は図２、３の場合と同一である。
【図面の簡単な説明】
【００５４】
【図１】実施例１のレトロフォーカス型超広角レンズの概略構成図である。
【図２】実施例１のレンズにおける撮影距離が無限大の場合の収差図である。
【図３】実施例１のレンズにおける撮影距離が０．３５ｍの場合の収差図である。
【図４】実施例２に係るレトロフォーカス型超広角レンズの概略構成図である。
【図５】実施例２のレンズにおける撮影距離が無限大の場合の収差図である。
【図６】実施例２のレンズにおける撮影距離が０．３５ｍの場合の収差図である。
【図７】実施例３のレトロフォーカス型超広角レンズの概略構成図である。
【図８】実施例３のレンズにおける撮影距離が無限大の場合の収差図である。
【図９】実施例３のレンズにおける撮影距離が０．３５ｍの場合の収差図である。
【符号の説明】
【００５５】
１、１Ａ、１Ｂ  レトロフォーカス型超広角レンズ
１ａ  光軸
ＧＲ１  第１レンズ群
ＧＲ２  第２レンズ群
２〜５、８  負メニスカスレンズ
６、９、１４、１８  接合レンズ
７、１０、１３、１６、１７  正レンズ
１１、１５  負レンズ
１２  絞り
【図１】
2006300972.tif 000006
【図２】
2006300972.tif 000007
【図３】
2006300972.tif 000008
【図４】
2006300972.tif 000009
【図５】
2006300972.tif 000010
【図６】
2006300972.tif 000011
【図７】
2006300972.tif 000012
【図８】
2006300972.tif 000013
【図９】
2006300972.tif 000014